(57)【要約】【構成】ハンドルパイプにグリップを取り付けるとともにこのグリップにヒーターを設置し、前記ハンドルパイプにおける前記グリップに隣接してコントロール部を設置し、このコントロール部にコントロールスイッチを設置して前記ヒーター部のＯＮ・ＯＦＦ又は温度をコントロールする自動二輪車用グリップヒーター装置において、前記コントロールスイッチとして非接触センサーを使用し、非接触センサーを前記コントロール部におけるケーシング内に設置するとともに前記ケーシングの外壁面における前記非接触センサーの対向する位置にセンサーマークを設ける【効果】ライダーは非接触センサーに触れることなくセンサーマークに触れるのみでヒーター部のＯＮ・ＯＦＦ及び温度調整をコントロールすることができる。誤動作しにくく特にライダーにとってグローブをはめた手で操作しやすくなる。その上、非接触センサーはケーシング内に設置されているため、耐環境性に優れている。【選択図】              図３
2015107677.tif 000002
【特許請求の範囲】
【請求項１】
ハンドルパイプにグリップを取り付けるとともにこのグリップにヒーターを設置し、前記ハンドルパイプにおける前記グリップに隣接してコントロール部を設置し、このコントロール部にコントロールスイッチを設置して前記ヒーター部のＯＮ・ＯＦＦ又は温度をコントロールする自動二輪車用グリップヒーター装置において、前記コントロールスイッチとして非接触センサーを使用し、非接触センサーを前記コントロール部におけるケーシング内に設置するとともに前記ケーシングの外壁面における前記非接触センサーの対向する位置にセンサーマークを設けたことを特徴とする自動二輪車用グリップヒーター装置。
【請求項２】
前記センサーマークを前記ケーシングの前側に設けたことを特徴とする請求項１の自動二輪車用グリップヒーター装置。
【請求項３】
前記センサーマークを前記ケーシングの上部グリップ側に設けたことを特徴とする請求項１の自動二輪車用グリップヒーター装置。
【請求項４】
前記センサーマークが凹状であることを特徴とする請求項１，請求項２または請求項３の自動二輪車用グリップヒーター装置。
【請求項５】
前記ケーシングに温度表示部を設け、この温度表示部の色を温度の高低に従い変化させることを特徴とする請求項１，請求項２，請求項３または請求項４の自動二輪車用グリップ二輪車装置。
【発明の詳細な説明】
【技術分野】
【０００１】
この発明は自動二輪車用グリップヒーター装置に関し、寒冷時にライダーのハンドルを握る手を効果的に暖めるために使用されるものである。
【背景技術】
【０００２】
従来の自動二輪車用グリップヒーター装置は、各々のハンドルグリップに設置されたヒーター部とコントロール部とからなり、ライダーはこのコントロール部を操作することにより、前記ヒーター部のＯＮ・ＯＦＦ及び温度調整を行っていた。
【０００３】
【特許文献１】特開２００６−０２８２０４３号公報
【発明の開示】
【発明が解決しようとする課題】
【０００４】
しかしながら、かかる従来における自動二輪車用グリップヒーター装置にあっては、グリップヒーターに使用されている電源または温度調整スイッチが、押しボタンまたはスライド等の機械式スイッチが多く用いられていたため誤動作しやすく、特にライダーにとってグローブをはめた手では操作しにくいという不都合を有した。
【０００５】
この不都合を解消することがこの発明の課題である。
【課題を解決するための手段】
【０００６】
前記課題を達成するために、この発明にかかる自動二輪車用グリップヒーター装置においては、ハンドルパイプにグリップを取り付けるとともにこのグリップにヒーターを設置し、前記ハンドルパイプにおける前記グリップに隣接してコントロール部を設置し、このコントロール部にコントロールスイッチを設置して前記ヒーター部のＯＮ・ＯＦＦ又は温度をコントロールする自動二輪車用グリップヒーター装置において、前記コントロールスイッチとして非接触センサーを使用し、非接触センサーを前記コントロール部におけるケーシング内に設置するとともに前記ケーシングの外壁面における前記非接触センサーの対向する位置にセンサーマークを設けたものである。
【０００７】
この場合、前記センサーマークを前記ケーシングの前側に設けることができる。
【０００８】
また、前記センサーマークを前記ケーシングの上部グリップ側に設けることができる。
【０００９】
また、前記センサーマークが凹状に形成することができる。
【００１０】
また、前記ケーシングに温度表示部を設け、この温度表示部の色を温度の高低に従い変化させることができる。
【発明の効果】
【００１１】
この発明に係る自動二輪車用グリップヒーター装置は、上記の用に構成されているため、即ち、ハンドルパイプにグリップを取り付けるとともにこのグリップにヒーターを設置し、前記ハンドルパイプにおける前記グリップに隣接してコントロール部を設置し、このコントロール部にコントロールスイッチを設置して前記ヒーター部のＯＮ・ＯＦＦ又は温度をコントロールする自動二輪車用グリップヒーター装置において、前記コントロールスイッチとして非接触センサーを使用し、非接触センサーを前記コントロール部におけるケーシング内に設置するとともに前記ケーシングの外壁面における前記非接触センサーの対向する位置にセンサーマークを設けたため、ライダーは前記非接触センサーに触れることなく前記センサーマークに触れるのみで前記ヒーター部のＯＮ・ＯＦＦ及び温度調整をコントロールすることができる。
【００１２】
よって、この自動二輪車用グリップヒーター装置を使用すれば、誤動作しにくく特にライダーにとってグローブをはめた手で操作しやすいものである。その上、非接触センサーはケーシング内に設置されているため、耐環境性に優れている。
【００１３】
前記センサーマークを前記ケーシングの前側に設ければ、人差し指によって操作できるため、ウインカー操作時の誤動作を防止できる。
【００１４】
前記センサーマークを前記ケーシングの上部グリップ側に設ければ、ライダーがグリップを握った際に、握り状態を検知できる。
【００１５】
なお、ウインカースイッチ等の操作の妨げにならなければ、センサーマークをケーシング上部または後ろ側などを親指で操作してもよい位置に設けることができる。
【００１６】
前記センサーマークを凹状に形成すれば、手の感触によってセンサーマークの位置を手の感触によって把握しやすいものである。
【００１７】
前記ケーシングに温度表示部を設け、この温度表示部の色を温度の高低に従い変化させれば、ライダーはこの表示具の色の変化によってヒーター部の温度を把握することができる。
【発明を実施するための最良の形態】
【００１８】
この発明に係る自動二輪車用グリップヒーター装置は実施するにあたって下記の構成に最も主要な特徴を有する。
【００１９】
「非接触センサー」は耐環境、外乱に強い静電容量方式とする。このセンサーなら、グローブをした状態で約５０ｍｍまでの動きを検知可能である。設置場所は、アクセルワークのない左側グリップでウインカー操作等の妨げにならない位置、例えば前側とする。
【００２０】
「温度設定」は温度表示具の光の色の変化で確認可能とする。
【００２１】
「非接触センサー」は手の甲を検出する第一非接触センサーと指操作を検出する第二非接触センサーを設けるのが望ましい。グリップ部を握ることにより、第一非接触センサーが手の握りを検知した後、指の操作により第二非接触センサーを操作することによって、前記ヒーター部のスイッチをＯＮにする。その後、第二非接触センサーを操作することによって温度調整する。ヒーター部のスイッチをＯＦＦする場合は、第一センサー部が手の握りの解除を検知した場合または前記第二非接触センサー部を操作すればよい。
【実施例】
【００２２】
以下、この発明の実施例を図面に基づいて説明する。
【００２３】
図１はこの発明に係る自動二輪車用グリップヒーター装置の正面図、図２は図１におけるII矢視図、図３は図２におけるIII-III線部分断面図、図４は図３におけるIV-IV線断面図である。
【００２４】
図１及び図２において、Ａは自動二輪車用グリップヒーター装置、１０はそのハンドルパイプである。１１はハンドルグリップ（左側の）であり、前記ハンドルパイプ１０の左端部に外嵌固定されている。１２はハンドルスイッチケースであり、前記ハンドルパイプ１０における前記ハンドルグリップ１１の内側に設置されている。このハンドルスイッチケース１２は前記ハンドルパイプ１０をドーナッツ状に囲むように位置している。なお、このスイッチケース１２には、ハイロースイッチ１３、ホーンスイッチ１４、ウインカースイッチ１５等が設置されている。
【００２５】
２０はヒーター部であり、ニクロム線等が前記ハンドルグリップ１１にインサート成形されている。このヒーター部２０は車両バッテリーからの電力供給によって発熱し、前記ハンドルグリップ１１を暖める。また、３０はコントロール部であり、前記ハンドルパイプ１０に巻設されている。このコントロール部３０はドーナッツ状であり前記ハンドルグリップ１１と前記ハイロースイッチ１３との間に位置し、コンピューター回路によって前記ヒーター部のＯＮ・ＯＦＦ及び温度調整をコントロールする。
【００２６】
３１は前記コントロール部３０のケーシングであり、コントロール基板３２を収容している（図４参照）である。
【００２７】
図３及び図４において、３３は第一非接触センサーであり前記コントロール基板３２に設置されている。この第一非接触センサー３３は前記グリップ部１１に対向している。次に３４は第二非接触センサーであり、前記コントロール基板３２に設置されている。この第二非接触センサー３４は前記ケーシング３１の前側に対向している。前記第一非接触センサー３３及び前記第二非接触センサー３４はいずれも耐環境、外乱に強い静電容量方式である。
【００２８】
３５は発光ダイオードであり、前記コントロール基板３２に設置されている。この発光ダイオード３５は黄色、オレンジ、赤の三色からなり、前記ケーシング３１の上方に対向している。
【００２９】
３６は第一センサーマークであり、前記ケーシング３１の前記グリップ部１１側上部に凹状に形成されている。この第一センサーマーク３６は前記第一非接触センサー３３に対向しており、前記ケーシング３１内の第一非接触センサー３３の位置を示している。ライダーは前記グリップ部１１を握った際、手の人差し指側がこのセンサーマーク３６に触れ、前記第一非接触センサー３３を作動させる。３７は第二センサーマークであり、前記ケーシング３１の前側に凹状に形成されている。この第二センサーマーク３７は前記第二非接触センサー３４に対向しており、前記ケーシング３１内の第二接触式センサー３４の位置を示している。ライダーはグリップ部１１を握った左手の人差し指をこの第二センサーマーク３７に触れることにより、前記第二非接触センサー３４を作動させる。
【００３０】
３８は長孔であり、前記ケーシング３１の上部に形成されている。この長孔３８は前記ケーシング３１の前後方向に延びている。３９は透光板であり、前記長孔３８に内嵌めされている。この透光板３９は前記発光ダイオード３５の上部に位置し、この発光ダイオード３５の光を前記ケーシング３１外に通過させる。前記発光ダイオード３５及び前記透光板３９によってこの発明の温度表示部を構成する。
【００３１】
このコントロール部３０は次のように作動する。ライダーがグリップ部１１を握ると第一非接触センサー３３が手の握りを検知する。この後、指の操作により第二非接触センサー３４を操作することによって、前記ヒーター部２０のスイッチをＯＮにする。その後、続けて第二非接触センサー３４を操作することによって温度調整することができる。前記ヒーター部２０のスイッチをＯＦＦする場合は、グリップ部１１の握りの解除を前記第一非接触センサー３３が検知した場合または前記第二非接触センサー３４の操作をすればよい。
【産業上の利用可能性】
【００３２】
この発明に係る自動二輪車用グリップヒーター装置においては、ライダーは前記非接触センサーに触れること前記センサーマークに触れるのみで前記ヒーター部のＯＮ・ＯＦＦ及び温度調整をコントロールすることができる。誤動作しにくく特にライダーにとってグローブをはめた手で操作しやすいものである。その上、非接触センサーはケーシング内に設置されているため、耐環境性に優れている。産業上の利用可能性は高いものである。
【図面の簡単な説明】
【００３３】
【図１】図１はこの発明に係る自動二輪車用グリップヒーター装置の正面図である。
【図２】図２は図１におけるII矢視図である。
【図３】図３は図２におけるIII-III線部分断面図である。
【図４】図４は図３におけるIV-IV線断面図である。
【符号の説明】
【００３４】
Ａ  …  自動二輪車用グリップヒーター装置
１０  …  ハンドルパイプ
１１  …  ハンドルグリップ（左側の）
１２  …  ハンドルスイッチケース
１３  …  ハイロースイッチ
１４  …  ターンスイッチ
１５  …  ウインカースイッチ
２０  …  ヒーター部
３０  …  コントロール部
３１  …  ケーシング
３２  …  コントロール基板
３３  …  第一非接触センサー
３４  …  第二非接触センサー
３５  …  発光ダイオード(温度表示部)
３６  …  第一センサーマーク
３７  …  第二センサーマーク
３８  …  長孔
３９  …  透光板(温度表示部)
【図１】
2015107677.tif 000003
【図２】
2015107677.tif 000004
【図３】
2015107677.tif 000005
【図４】
2015107677.tif 000006
【手続補正書】
【提出日】平成26年9月13日(2014.9.13)
【手続補正１】
【補正対象書類名】特許請求の範囲
【補正対象項目名】全文
【補正方法】変更
【補正の内容】
【特許請求の範囲】
【請求項１】
ハンドルパイプにグリップを取り付けるとともにこのグリップにヒーターを設置し、前記ハンドルパイプにおける前記グリップに隣接してコントロール部を設置し、このコントロール部にコントロールスイッチを設置するとともに前記コントロールスイッチとして非接触センサーを使用し、この非接触センサーを前記コントロール部におけるケーシング内に設置するとともに前記ケーシングの外壁面における前記非接触センサーの対向する位置にセンサーマークを設けた前記ヒーター部のＯＮ・ＯＦＦ又は温度をコントロールする自動二輪車用グリップヒーター装置において、前記非接触センサーは、手の甲を検出する第一非接触センサーと指操作を検出する第二非接触センサーからなり、前記第一非接触センサーによって前記グリップの握りを検知した後、前記第二非接触センサーを指の操作することによって前記ヒーター部のスイッチをONにし、その後、前記第二非接触センサーを操作することによって温度調整し、前記第一センサー部が前記グリップの握りの解除を検知した場合または前記第二非接触センサーを操作した場合に前記ヒーター部のスイッチがOFFすることを特徴とする自動二輪車用グリップヒーター装置。
【請求項２】
前記センサーマークを前記ケーシングの前側に設けたことを特徴とする請求項１の自動二輪車用グリップヒーター装置。
【請求項３】
前記センサーマークを前記ケーシングの上部グリップ側に設けたことを特徴とする請求項１の自動二輪車用グリップヒーター装置。
【請求項４】
前記センサーマークが凹状であることを特徴とする請求項１，請求項２または請求項３の自動二輪車用グリップヒーター装置。
【請求項５】
前記ケーシングに温度表示部を設け、この温度表示部の色を温度の高低に従い変化させることを特徴とする請求項１，請求項２，請求項３または請求項４の自動二輪車用グリップヒーター装置。
【手続補正２】
【補正対象書類名】明細書
【補正対象項目名】全文
【補正方法】変更
【補正の内容】
【発明の詳細な説明】
【技術分野】
【０００１】
この発明は自動二輪車用グリップヒーター装置に関し、寒冷時にライダーのハンドルを握る手を効果的に暖めるために使用されるものである。
【背景技術】
【０００２】
従来の自動二輪車用グリップヒーター装置は、各々のハンドルグリップに設置されたヒーター部とコントロール部とからなり、ライダーはこのコントロール部を操作することにより、前記ヒーター部のＯＮ・ＯＦＦ及び温度調整を行っていた。
【０００３】
【特許文献１】特開２００６−０２８２０４３号公報
【発明の開示】
【発明が解決しようとする課題】
【０００４】
しかしながら、かかる従来における自動二輪車用グリップヒーター装置にあっては、グリップヒーターに使用されている電源または温度調整スイッチが、押しボタンまたはスライド等の機械式スイッチが多く用いられていたため誤動作しやすく、特にライダーにとってグローブをはめた手では操作しにくいという不都合を有した。
【０００５】
この不都合を解消することがこの発明の課題である。
【課題を解決するための手段】
【０００６】
前記課題を達成するために、この発明にかかる自動二輪車用グリップヒーター装置においては、ハンドルパイプにグリップを取り付けるとともにこのグリップにヒーターを設置し、前記ハンドルパイプにおける前記グリップに隣接してコントロール部を設置し、このコントロール部にコントロールスイッチを設置するとともに前記コントロールスイッチとして非接触センサーを使用し、この非接触センサーを前記コントロール部におけるケーシング内に設置するとともに前記ケーシングの外壁面における前記非接触センサーの対向する位置にセンサーマークを設けた前記ヒーター部のＯＮ・ＯＦＦ又は温度をコントロールする自動二輪車用グリップヒーター装置において、前記非接触センサーは、手の甲を検出する第一非接触センサーと指操作を検出する第二非接触センサーからなり、前記第一非接触センサーによって前記グリップの握りを検知した後、前記第二非接触センサーを指の操作することによって前記ヒーター部のスイッチをONにし、その後、前記第二非接触センサーを操作することによって温度調整し、前記第一センサー部が前記グリップの握りの解除を検知した場合または前記第二非接触センサーを操作した場合に前記ヒーター部のスイッチがOFFするものである。
【０００７】
この場合、前記センサーマークを前記ケーシングの前側に設けることができる。
【０００８】
また、前記センサーマークを前記ケーシングの上部グリップ側に設けることができる。
【０００９】
また、前記センサーマークが凹状に形成することができる。
【００１０】
また、前記ケーシングに温度表示部を設け、この温度表示部の色を温度の高低に従い変化させることができる。
【発明の効果】
【００１１】
この発明に係る自動二輪車用グリップヒーター装置は、上記の用に構成されているため、即ち、ハンドルパイプにグリップを取り付けるとともにこのグリップにヒーターを設置し、前記ハンドルパイプにおける前記グリップに隣接してコントロール部を設置し、このコントロール部にコントロールスイッチを設置するとともに前記コントロールスイッチとして非接触センサーを使用し、この非接触センサーを前記コントロール部におけるケーシング内に設置するとともに前記ケーシングの外壁面における前記非接触センサーの対向する位置にセンサーマークを設けた前記ヒーター部のＯＮ・ＯＦＦ又は温度をコントロールする自動二輪車用グリップヒーター装置において、前記非接触センサーは、手の甲を検出する第一非接触センサーと指操作を検出する第二非接触センサーからなり、前記第一非接触センサーによって前記グリップの握りを検知した後、前記第二非接触センサーを指の操作することによって前記ヒーター部のスイッチをONにし、その後、前記第二非接触センサーを操作することによって温度調整し、前記第一センサー部が前記グリップの握りの解除を検知した場合または前記第二非接触センサーを操作した場合に前記ヒーター部のスイッチがOFFするため、ライダーは前記非接触センサーに触れることなく前記センサーマークに触れるのみで前記ヒーター部のＯＮ・ＯＦＦ及び温度調整をコントロールすることができる。
【００１２】
よって、この自動二輪車用グリップヒーター装置を使用すれば、誤動作しにくく特にライダーにとってグローブをはめた手で操作しやすいものである。その上、非接触センサーはケーシング内に設置されているため、耐環境性に優れている。
【００１３】
前記センサーマークを前記ケーシングの前側に設ければ、人差し指によって操作できるため、ウインカー操作時の誤動作を防止できる。
【００１４】
前記センサーマークを前記ケーシングの上部グリップ側に設ければ、ライダーがグリップを握った際に、握り状態を検知できる。
【００１５】
なお、ウインカースイッチ等の操作の妨げにならなければ、センサーマークをケーシング上部または後ろ側などを親指で操作してもよい位置に設けることができる。
【００１６】
前記センサーマークを凹状に形成すれば、手の感触によってセンサーマークの位置を手の感触によって把握しやすいものである。
【００１７】
前記ケーシングに温度表示部を設け、この温度表示部の色を温度の高低に従い変化させれば、ライダーはこの表示具の色の変化によってヒーター部の温度を把握することができる。
【発明を実施するための最良の形態】
【００１８】
この発明に係る自動二輪車用グリップヒーター装置は実施するにあたって下記の構成に最も主要な特徴を有する。
【００１９】
「非接触センサー」は耐環境、外乱に強い静電容量方式とする。このセンサーなら、グローブをした状態で約５０ｍｍまでの動きを検知可能である。設置場所は、アクセルワークのない左側グリップでウインカー操作等の妨げにならない位置、例えば前側とする。
【００２０】
「温度設定」は温度表示具の光の色の変化で確認可能とする。
【００２１】
「非接触センサー」は手の甲を検出する第一非接触センサーと指操作を検出する第二非接触センサーを設けるのが望ましい。グリップ部を握ることにより、第一非接触センサーが手の握りを検知した後、指の操作により第二非接触センサーを操作することによって、前記ヒーター部のスイッチをＯＮにする。その後、第二非接触センサーを操作することによって温度調整する。ヒーター部のスイッチをＯＦＦする場合は、第一センサー部が手の握りの解除を検知した場合または前記第二非接触センサー部を操作すればよい。
【実施例】
【００２２】
以下、この発明の実施例を図面に基づいて説明する。
【００２３】
図１はこの発明に係る自動二輪車用グリップヒーター装置の正面図、図２は図１におけるII矢視図、図３は図２におけるIII-III線部分断面図、図４は図３におけるIV-IV線断面図である。
【００２４】
図１及び図２において、Ａは自動二輪車用グリップヒーター装置、１０はそのハンドルパイプである。１１はハンドルグリップ（左側の）であり、前記ハンドルパイプ１０の左端部に外嵌固定されている。１２はハンドルスイッチケースであり、前記ハンドルパイプ１０における前記ハンドルグリップ１１の内側に設置されている。このハンドルスイッチケース１２は前記ハンドルパイプ１０をドーナッツ状に囲むように位置している。なお、このスイッチケース１２には、ハイロースイッチ１３、ホーンスイッチ１４、ウインカースイッチ１５等が設置されている。
【００２５】
２０はヒーター部であり、ニクロム線等が前記ハンドルグリップ１１にインサート成形されている。このヒーター部２０は車両バッテリーからの電力供給によって発熱し、前記ハンドルグリップ１１を暖める。また、３０はコントロール部であり、前記ハンドルパイプ１０に巻設されている。このコントロール部３０はドーナッツ状であり前記ハンドルグリップ１１と前記ハイロースイッチ１３との間に位置し、コンピューター回路によって前記ヒーター部のＯＮ・ＯＦＦ及び温度調整をコントロールする。
【００２６】
３１は前記コントロール部３０のケーシングであり、コントロール基板３２を収容している（図４参照）である。
【００２７】
図３及び図４において、３３は第一非接触センサーであり前記コントロール基板３２に設置されている。この第一非接触センサー３３は前記グリップ部１１に対向している。次に３４は第二非接触センサーであり、前記コントロール基板３２に設置されている。この第二非接触センサー３４は前記ケーシング３１の前側に対向している。前記第一非接触センサー３３及び前記第二非接触センサー３４はいずれも耐環境、外乱に強い静電容量方式である。
【００２８】
３５は発光ダイオードであり、前記コントロール基板３２に設置されている。この発光ダイオード３５は黄色、オレンジ、赤の三色からなり、前記ケーシング３１の上方に対向している。
【００２９】
３６は第一センサーマークであり、前記ケーシング３１の前記グリップ部１１側上部に凹状に形成されている。この第一センサーマーク３６は前記第一非接触センサー３３に対向しており、前記ケーシング３１内の第一非接触センサー３３の位置を示している。ライダーは前記グリップ部１１を握った際、手の人差し指側がこのセンサーマーク３６に触れ、前記第一非接触センサー３３を作動させる。３７は第二センサーマークであり、前記ケーシング３１の前側に凹状に形成されている。この第二センサーマーク３７は前記第二非接触センサー３４に対向しており、前記ケーシング３１内の第二接触式センサー３４の位置を示している。ライダーはグリップ部１１を握った左手の人差し指をこの第二センサーマーク３７に触れることにより、前記第二非接触センサー３４を作動させる。
【００３０】
３８は長孔であり、前記ケーシング３１の上部に形成されている。この長孔３８は前記ケーシング３１の前後方向に延びている。３９は透光板であり、前記長孔３８に内嵌めされている。この透光板３９は前記発光ダイオード３５の上部に位置し、この発光ダイオード３５の光を前記ケーシング３１外に通過させる。前記発光ダイオード３５及び前記透光板３９によってこの発明の温度表示部を構成する。
【００３１】
このコントロール部３０は次のように作動する。ライダーがグリップ部１１を握ると第一非接触センサー３３が手の握りを検知する。この後、指の操作により第二非接触センサー３４を操作することによって、前記ヒーター部２０のスイッチをＯＮにする。その後、続けて第二非接触センサー３４を操作することによって温度調整することができる。前記ヒーター部２０のスイッチをＯＦＦする場合は、グリップ部１１の握りの解除を前記第一非接触センサー３３が検知した場合または前記第二非接触センサー３４の操作をすればよい。
【産業上の利用可能性】
【００３２】
この発明に係る自動二輪車用グリップヒーター装置においては、ライダーは前記非接触センサーに触れること前記センサーマークに触れるのみで前記ヒーター部のＯＮ・ＯＦＦ及び温度調整をコントロールすることができる。誤動作しにくく特にライダーにとってグローブをはめた手で操作しやすいものである。その上、非接触センサーはケーシング内に設置されているため、耐環境性に優れている。産業上の利用可能性は高いものである。
【図面の簡単な説明】
【００３３】
【図１】図１はこの発明に係る自動二輪車用グリップヒーター装置の正面図である。
【図２】図２は図１におけるII矢視図である。
【図３】図３は図２におけるIII-III線部分断面図である。
【図４】図４は図３におけるIV-IV線断面図である。
【符号の説明】
【００３４】
Ａ  …  自動二輪車用グリップヒーター装置
１０  …  ハンドルパイプ
１１  …  ハンドルグリップ（左側の）
１２  …  ハンドルスイッチケース
１３  …  ハイロースイッチ
１４  …  ターンスイッチ
１５  …  ウインカースイッチ
２０  …  ヒーター部
３０  …  コントロール部
３１  …  ケーシング
３２  …  コントロール基板
３３  …  第一非接触センサー
３４  …  第二非接触センサー
３５  …  発光ダイオード(温度表示部)
３６  …  第一センサーマーク
３７  …  第二センサーマーク
３８  …  長孔
３９  …  透光板(温度表示部)
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ハンドルパイプにグリップを取り付けるとともにこのグリップにヒーター部を設置し、前記ハンドルパイプにおける前記グリップに隣接してコントロール部を設置し、このコントロール部にコントロールスイッチを設置するとともに前記コントロールスイッチとして非接触センサーを使用し、この非接触センサーを前記コントロール部におけるケーシング内に設置するとともに前記ケーシングの外壁面における前記非接触センサーの対向する位置にセンサーマークを設けて、前記ヒーター部のＯＮ・ＯＦＦ及び温度をコントロールする自動二輪車用グリップヒーター装置において、
前記非接触センサーは、手の甲を検出する第一非接触センサーと指操作を検出する第二非接触センサーからなり、
前記センサーマークは、前記ケーシングの上部グリップ側に設けられて前記第一非接触センサーの位置を示す第一センサーマークと、前記ケーシングの前側に設けられて前記第二非接触センサーの位置を示す第二センサーマークとからなり、
前記第一非接触センサーによって前記グリップの握りを検知した後、前記第二非接触センサーを指で操作することによって前記ヒーター部のスイッチをＯＮにし、その後、前記第二非接触センサーを操作することによって温度調整し、前記第一非接触センサー部が前記グリップの握りの解除を検知した場合に前記ヒーター部のスイッチがＯＦＦすることを特徴とする自動二輪車用グリップヒーター装置。
【請求項２】
前記第一センサーマークおよび前記第二センサーマークが凹状であることを特徴とする請求項１に記載の自動二輪車用グリップヒーター装置。
【請求項３】
前記ケーシングに温度表示部を設け、この温度表示部の色を温度の高低に従い変化させることを特徴とする請求項１または２に記載の自動二輪車用グリップヒーター装置。
【手続補正２】
【補正対象書類名】明細書
【補正対象項目名】０００６
【補正方法】変更
【補正の内容】
【０００６】
前記課題を達成するために、この発明にかかる自動二輪車用グリップヒーター装置においては、ハンドルパイプにグリップを取り付けるとともにこのグリップにヒーター部を設置し、前記ハンドルパイプにおける前記グリップに隣接してコントロール部を設置し、このコントロール部にコントロールスイッチを設置するとともに前記コントロールスイッチとして非接触センサーを使用し、この非接触センサーを前記コントロール部におけるケーシング内に設置するとともに前記ケーシングの外壁面における前記非接触センサーの対向する位置にセンサーマークを設けて、前記ヒーター部のＯＮ・ＯＦＦ及び温度をコントロールする自動二輪車用グリップヒーター装置において、前記非接触センサーは、手の甲を検出する第一非接触センサーと指操作を検出する第二非接触センサーからなり、前記センサーマークは、前記ケーシングの上部グリップ側に設けられて前記第一非接触センサーの位置を示す第一センサーマークと、前記ケーシングの前側に設けられて前記第二非接触センサーの位置を示す第二センサーマークとからなり、前記第一非接触センサーによって前記グリップの握りを検知した後、前記第二非接触センサーを指で操作することによって前記ヒーター部のスイッチをＯＮにし、その後、前記第二非接触センサーを操作することによって温度調整し、前記第一非接触センサー部が前記グリップの握りの解除を検知した場合に前記ヒーター部のスイッチがＯＦＦするものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、センサーマークを凹状に形成することができる。
【手続補正６】
【補正対象書類名】明細書
【補正対象項目名】００１１
【補正方法】変更
【補正の内容】
【００１１】
この発明に係る自動二輪車用グリップヒーター装置は、上記のように構成されているため、ライダーは非接触センサーに触れることなくセンサーマークに触れるのみでヒーター部のＯＮ・ＯＦＦ及び温度調整をコントロールすることができる。